(57)【要約】【課題】キャスター付物品は地震が発生すると走行してしまうので、大変危険である。ピアノのキャスターの直径は、ピアノの種類やメーカーによって異なり、ある一種類のキャスターの車輪の直径に合わせた固定装置では、他の種類のキャスターに適用できない不都合がある。【解決手段】キャスター４９の車輪５１は、保持シャフト３５に嵌められた調節スリーブ３９と保持シャフト３７に嵌められた調節スリーブ４１とに当接して挟持された状態で固定される。調節スリーブ３９、４１の少なくとも一方を外すことにより、車輪５１よりも大きい径寸法の車輪を有するキャスターを固定することができる。【選択図】        図２
2005099491.tif 000002
【特許請求の範囲】
【請求項１】
ベースと、前記ベースを床に固定するベース固定手段と、前記ベースに設けられたホルダーと、前記ホルダーに対し着脱自在に備えられ固定するキャスターの車輪を挟んで配置される保持部材と、前記キャスターの車輪を挟んで配置される保持部材が車輪に当接するように保持部材の位置を調節する調節手段とから成るキャスター付物品の固定装置。
【請求項２】
請求項１に記載したキャスター付物品の固定装置において、調節手段は保持部材に着脱自在に嵌められる調節スリーブによって構成されることを特徴とするキャスター付物品の固定装置。
【請求項３】
請求項１に記載したキャスター付物品の固定装置において、調節手段はホルダーを上下方向へ動作自在に支持するホルダー支持手段と、前記ホルダーを上下方向の所望の位置で固定できるホルダー固定手段とから構成されていることを特徴とするキャスター付物品の固定装置。
【請求項４】
請求項１から３のいずれかに記載されたキャスター付物品の固定装置において、保持部材はホルダーに形成され保持部材が車輪から離間する方向へ延びる長穴に動作自在に嵌められていることを特徴とするキャスター付物品の固定装置。
【請求項５】
請求項１から４のいずれかに記載したキャスター付物品の固定装置において、ベース固定手段は床等に密着固定する密着固定材によって構成されていることを特徴とするキャスター付物品の固定装置。
【発明の詳細な説明】
【技術分野】
【０００１】
本発明はピアノ等のキャスターを有する物品を固定するキャスター付物品の固定装置に関する。
【背景技術】
【０００２】
キャスター付物品の一例としてピアノがある。ピアノを設置する場合、キャスターが床を傷つけるのを防止するために、インシュレーターと呼ばれる受け皿状の台座にキャスターを載せる。
しかし、キャスターはインシュレーターの浅い凹部に載せられているだけであり、しかもインシュレーターは床に固定されていない。従って、インシュレーターはピアノの固定具としては機能せず、地震が発生すると、インシュレーターからキャスターが外れ、ピアノは大きく動いてしまうことになる。特に、地震の規模が大きい場合には、ピアノはキャスターによって走行することになり、極めて危険である。
実際に大きな地震の際に校舎内に設置されていたピアノが、窓を突き破って校庭に飛び出した事例も報告されている。このように、地震時の危険を回避するため、ピアノの固定装置は必須のものであるといえる。
【発明の開示】
【発明が解決しようとする課題】
【０００３】
しかしながら、ピアノのキャスターの車輪の直径は、ピアノの種類やメーカーによって異なり、ある一種類のキャスターの車輪の直径に合わせた固定装置では、異なる直径を持つ他の種類のキャスターに適用できない不都合がある。
本発明は、上記従来の問題点に着目してなされたものであり、異なる直径の車輪を持つ複数種類のキャスターに対応できるキャスター付物品の固定装置を提供することを目的とする。
【課題を解決するための手段】
【０００４】
本発明は、上記課題を解決するためになされたものであり、請求項１の発明は、ベースと、前記ベースを床に固定するベース固定手段と、前記ベースに設けられたホルダーと、前記ホルダーに対し着脱自在に備えられ固定するキャスターの車輪を挟んで配置される保持部材と、前記キャスターの車輪を挟んで配置される保持部材が車輪に当接するように保持部材の位置を調節する調節手段とから成るキャスター付物品の固定装置である。
【０００５】
請求項２の発明は、請求項１に記載したキャスター付物品の固定装置において、調節手段は保持部材に着脱自在に嵌められる調節スリーブによって構成されることを特徴とするキャスター付物品の固定装置である。
【０００６】
請求項３の発明は、請求項１に記載したキャスター付物品の固定装置において、調節手段はホルダーを上下方向へ動作自在に支持するホルダー支持手段と、前記ホルダーを上下方向の所望の位置で固定できるホルダー固定手段とから構成されていることを特徴とするキャスター付物品の固定装置である。
【０００７】
請求項４の発明は、請求項１から３のいずれかに記載されたキャスター付物品の固定装置において、保持部材はホルダーに形成され保持部材が車輪から離間する方向へ延びる長穴に動作自在に嵌められていることを特徴とするキャスター付物品の固定装置である。
【０００８】
請求項５の発明は、請求項１から４のいずれかに記載したキャスター付物品の固定装置において、ベース固定手段は床等に密着固定する密着固定材によって構成されていることを特徴とするキャスター付物品の固定装置である。
【発明の効果】
【０００９】
本発明のキャスター付物品の固定装置では、１つの装置で異なる直径の車輪を持つ複数種類のキャスターに対応することができる。
【実施例１】
【００１０】
図１から図５によって本発明の実施例１に係るキャスター付物品の固定装置１の構造、および小径、中径、大径の三つの車輪を有するキャスターの固定方法について説明する。
符号３はベースを示し、このベース３は矩形の金属板で構成されており、このベース３の裏面には密着固定材５が貼りつけられている。また、ベース３の上面には取付部材７が取付けられており、この取付部材７は長方形の金属片を直角に折り曲げて構成されている。取付部材７の水平片９はベース３に取付けられ、垂直片１１は上方に向かって延びている。垂直片１１の上部中央には丸穴１３が形成されており、この丸穴１３には雌ネジが形成されている。
【００１１】
シャフトホルダー１５はコの字状に折り曲げられた金属板からなり、連結片１７と、この連結片１７の左右両端部に一体に設けられた一対の対向片１９、２１によって構成されている。連結片１７の中央部には上下方向に延びる長穴２３が形成されている。
対向片１９と対向片２１は線対称となる形状であり、対向片１９の下部には丸穴２５が形成され、これと同様に対向片２１の下部にも丸穴２９が形成されている。また、対向片１９の上部先端には丸穴２７が形成され、これと同様に対向片２１の上部先端にも丸穴３１が形成されている。
固定ネジ３３はシャフトホルダー１５の長穴２３を通り、取付部材７の丸穴１３に取り付けられて、シャフトホルダー１５を取付部材７に固定している。
【００１２】
シャフトホルダー１５には、六角ボルトからなる保持部材としての２本の保持シャフト３５、３７が備えられている。保持シャフト３５は、対向片１９の丸穴２５に外側から挿入され、対向片１９と対向片２１との間に位置する調節スリーブ３９に挿通されて、丸穴２９から先端部が突出しており、この突出部分に蝶ナット４３が取付けられている。保持シャフト３７は、対向片１９の丸穴２７に外側から挿入され、対向片１９と対向片２１との間に位置する調節スリーブ４１に挿通されて、丸穴３１から先端部が突出しており、この突出部分に蝶ナット４５が取付けられている。
調節スリーブ３９、４１によって調節手段が構成されており、また調節スリーブ３９、４１は保持シャフト３５、３７に嵌められることにより保持部材を構成する。
【００１３】
図２から図５によって、キャスターの固定装置１を用いて、小径の車輪５１を有するキャスター４９、中径の車輪６３を有するキャスター６１及び大径の車輪７３を有するキャスター７１を固定する方法を説明する。
キャスター付物品の一例としてのピアノの脚４７には、小径の車輪５１を備えたキャスター４９が取付けられている。キャスター４９は車輪５１と車輪を保持するホルダー５３から構成されている。
キャスターの固定装置１をキャスター４９に取付ける前に、固定ネジ３３を外して、取付部材７からシャフトホルダー１５を外しておく。また、シャフトホルダー１５から保持シャフト３７、調節スリーブ４１及び蝶ナット４５を外しておき、保持シャフト３５、調節スリーブ３９及び蝶ナット４３は取り付けたままにしておく。
【００１４】
シャフトホルダー１５を図３において紙面右方向からキャスター４９に嵌め、調節スリーブ３９を小径の車輪５１に当接させる。この状態で、外しておいた保持シャフト３７を対向片１９の丸穴２７に挿入し、対向片１９と対向片２１の間に配置した調節スリーブ４１に通す。そして、保持シャフト３７の先端部を対向片２１の丸穴３１から突出させ、この突出した部分に蝶ナット４５を取付けて軽く締めておく。調節スリーブ３９、４１は車輪５１を挟んで配置される。
【００１５】
次に、ピアノを持ち上げ、ベース３を車輪の下側に配置し、取付部材７とシャフトホルダー１５とを固定ネジ３３によって連結する。固定ネジ３３を軽く締めた状態として、ピアノを床に降ろす。そして、蝶ナット４５を締め付け、また固定ネジ３３を締め付けて、キャスター４９をベース３に対し完全に固定する。密着固定材５が床５５に密着することによりベース３が床５５に固定され、キャスター４９が床５５に固定される。
車輪５１は、保持シャフト３５に嵌められた調節スリーブ３９と保持シャフト３７に嵌められた調節スリーブ４１とに当接して挟まれた状態で固定される。なお、調節スリーブ３９と車輪５１との当接部と調節スリーブ４１と車輪５１との当接部との間の距離をＬ１とする。
【００１６】
図４によって、小径の車輪５１よりも直径が大きい中径の車輪６３と、ホルダー６５から構成されるキャスター６１の固定方法を説明する。
中径の車輪６３には、調節スリーブ４１を保持シャフト３７に嵌めずに、キャスター４９と同様の手順でシャフトホルダー１５を取付ける。これにより、中径の車輪６３は調節スリーブ３９と保持シャフト３７とに当接して挟まれ、キャスター６１はシャフトホルダー１５に固定される。
調節スリーブ３９の車輪６３との当接部と保持シャフト３７の車輪６３との当接部との距離Ｌ２は、図３に示した距離Ｌ１よりも調節スリーブ４１の肉厚分長くなり、中径の車輪６３をシャフトホルダー１５に固定できる。
【００１７】
図５によって、中径の車輪６３よりも直径が大きい大径の車輪７３と、ホルダー７５から構成されるキャスター７１の固定方法を説明する。
大径の車輪７３には、調節スリーブ３９、４１を保持シャフト３５、３７に嵌めずに、キャスター４９と同様の手順でシャフトホルダー１５を取付ける。これにより、大径の車輪７３は保持シャフト３５と保持シャフト３７とに当接して挟まれ、キャスター７１はシャフトホルダー１５に固定される。
保持シャフト３５の車輪７３との当接部と保持シャフト３７の車輪７３との当接部との距離Ｌ３は、図４に示した距離Ｌ２よりもさらに調節スリーブ３９の肉厚分長くなり、大径の車輪７３をシャフトホルダー１５に固定できる。
このように、調節スリーブ３９、４１の着脱により、小径、中径、大径の車輪を１つのキャスター付物品の固定装置１を用いて固定することが可能となる。
【実施例２】
【００１８】
図６から図８によって本発明の実施例２に係るキャスター付物品の固定装置８１の構造、および小径、大径の二つの車輪を有するキャスターの固定方法について説明する。
実施例２のキャスター付物品の固定装置８１は、実施例１のキャスター付物品の固定装置１のシャフトホルダー１５に形成された丸穴２７、３１の代わりに長穴６０、６２が形成されている他は同じ構造を有している。従って、実施例２では実施例１で用いた符号を引用して、実施例１と同じ構造部分については説明を省略する。
キャスター付物品の固定装置８１では、シャフトホルダー１５の長穴２３と固定ネジ３３とによってホルダー支持手段が構成され、固定ネジ３３と丸穴１３とによってホルダー固定手段が構成されている。そして、これらホルダー支持手段、ホルダー固定手段によって調節手段が構成されている。
長穴６０、６２は保持シャフト３７が車輪５１、７３に近接離間する方向へ延びている。即ち、長穴６０、６２は図７、図８において左斜め上方へ長く延びている。
【００１９】
図７に示すように、小径の車輪５１を有するキャスター４９を固定する場合には、固定ネジ３３を緩めてシャフトホルダー１５を下降させて、保持シャフト３５、３７を車輪５１に当接させ、保持シャフト３５、３７によって車輪５１を挟む状態とする。この状態で固定ネジ３３を締めてシャフトホルダー１５を取付部材７に固定する。
図８に示すように、大径の車輪７３を有するキャスター７１を固定する場合には、固定ネジ３３を緩めて、上記小径の車輪５１を有するキャスター４９を固定する場合よりもシャフトホルダー１５が上昇した位置で、保持シャフト３５、３７を車輪７３に当接させ、保持シャフト３５、３７によって車輪７３を挟む状態とする。この状態で固定ネジ３３を締めてシャフトホルダー１５を取付部材７に固定する。
【００２０】
また、この実施例２のキャスター付物品の固定装置８１は、長穴６０、６２に保持シャフト３７が動作自在に嵌められているので、保持シャフト３７を車輪７３から離間させることができる。従って、より大きな径寸法の車輪７３を保持シャフト３７は保持シャフト３５と共に挟持することが可能となる。
【００２１】
以上、本発明の実施例について記述してきたが、具体的構成はこの実施の形態に限られるものではなく、本発明の要旨から外れない範囲での設計の変更等があっても本発明に含まれる。
例えば、上記実施例ではキャスター付物品としてピアノを示したが、本発明はこれに限定されず、可動式戸棚等にも適用できる。
さらに、保持シャフト３５、３７には六角ボルトを用いているが、これに限定されず、シャフトホルダー１５内に平行に配置され、着脱可能な調節スリーブ３９、４１を嵌めることができ、キャスター４９をシャフトホルダー１５に固定できるものであれば、いかなるものを用いてもよい。
また、実施例１に係るキャスター付物品の固定装置１の丸穴２７、３１側と丸穴２５、２９側の少なくとも一方側を長穴にしてもよい。
【図面の簡単な説明】
【００２２】
【図１】本発明の実施例１に係るキャスター付物品の固定装置の分解斜視図である。
【図２】本発明の実施例１に係るキャスター付物品の固定装置の斜視図である。
【図３】本発明の実施例１に係るキャスター付物品の固定装置の使用方法について説明するための図である。
【図４】本発明の実施例１に係るキャスター付物品の固定装置の使用方法について説明するための図である。
【図５】本発明の実施例１に係るキャスター付物品の固定装置の使用方法について説明するための図である。
【図６】本発明の実施例２に係るキャスター付物品の固定装置のシャフトホルダーの斜視図である。
【図７】本発明の実施例２に係るキャスター付物品の固定装置の使用方法について説明するための図である。
【図８】本発明の実施例２に係るキャスター付物品の固定装置の使用方法について説明するための図である。
【符号の説明】
【００２３】
１  キャスター固定装置      ３  ベース      ５  密着固定材
７  取付部材      ９  水平片      １１  垂直片      １３  丸穴
１５  シャフトホルダー      １７  連結片      １９  対向片
２１  対向片      ２３  長穴      ２５  丸穴      ２７  長穴
２９  丸穴      ３１  長穴      ３３  固定ネジ      ３５  保持シャフト
３７  保持シャフト      ３９  調節スリーブ      ４１  調節スリーブ
４３  蝶ナット      ４５  蝶ナット      ４７  脚      ４９  キャスター
５１  車輪      ５３  ホルダー      ５５  床      ６１  キャスター
６３  車輪      ６５  ホルダー      ７１  キャスター      ７３  車輪
７５  ホルダー      ８１  キャスター固定装置      ６０、６２  長穴
Ｌ１  調節スリーブ３９と調節スリーブ４１との距離
Ｌ２  保持シャフト３７と調節スリーブ３９との距離
Ｌ３  保持シャフト３７と保持シャフト３５との距離
【図１】
2005099491.tif 000003
【図２】
2005099491.tif 000004
【図３】
2005099491.tif 000005
【図４】
2005099491.tif 000006
【図５】
2005099491.tif 000007
【図６】
2005099491.tif 000008
【図７】
2005099491.tif 000009
【図８】
2005099491.tif 000010